(57)【要約】【課題】  フェンス本体が１．５ｍ以上の高いものでも充分な実用性が得られる強度が維持できると共に、従来の仮設フェンスの部品を無駄にせずに使用でき、低コストで組立作業性が良い組立式仮設フェンスを提供する。【解決手段】  施設位置の設置面Ｇに立設される一対の架台２と、これらの架台２間に架設され、防護部材８、１０と、この防護部材８、１０の両側に略Ｕ字形をなすフック部１１を有するフェンス体３と、このフェンス体３の上部に配設されたアーチ体４とを備え、保持金具６が対になって架台２を構成する支柱５の長手方向に所定間隔で複数固定され、これらの保持金具６にフック部１１を着脱自在に係着させると共に、支柱５の上端に支柱キャップを介してアーチ体４を構成する枠体３１を抜差し自在に嵌挿させた。【選択図】図１
2005139689.tif 000002
【特許請求の範囲】
【請求項１】
設置面に立設される一対の架台と、これらの架台間に着脱自在に架設されるフェンス体と、このフェンス体の上部に配設されたアーチ体とを備え、前記架台を構成する支柱に、保持金具が対になって長手方向に所定間隔で複数固定され、これらの保持金具に前記フェンス体を着脱自在に係着させると共に、前記支柱の上端にキャップを介して前記アーチ体を構成する枠体を抜差し自在に嵌挿させたことを特徴とする組立式仮設フェンス。
【請求項２】
前記フェンス体が防護部材を有し、この防護部材の両側に略Ｕ字形をなすフック部が突設され、このフック部を円筒状に形成された前記保持金具に挿入させることにより、前記フェンス体が前記支柱に対して着脱自在に係着されている請求項１に記載の組立式仮設フェンス。
【請求項３】
前記キャップが前記支柱の上端に嵌合され、前記枠体が嵌挿される連結部を有している請求項１または２に記載の組立式仮設フェンス。
【請求項４】
前記連結部が前記キャップに穿設された挿通孔である請求項３に記載の組立式仮設フェンス。
【請求項５】
前記連結部が前記キャップに突設された連結軸である請求項３に記載の組立式仮設フェンス。
【請求項６】
前記連結部が前記キャップに固着された円筒状の連結部である請求項３に記載の組立式仮設フェンス。
【請求項７】
前記枠体の端部にキャップが一体に形成され、このキャップを前記支柱に抜差し自在に嵌挿させた請求項１または２に記載の組立式仮設フェンス。
【請求項８】
前記アーチ体が曲線部を有する形状に形成されている請求項１乃至７いずれかに記載の組立式仮設フェンス。
【請求項９】
前記支柱に、略蒲鉾形に形成された支柱カバーが固定金具を介して着脱自在に装着されている請求項１乃至８いずれかに記載の組立式仮設フェンス。
【発明の詳細な説明】
【技術分野】
【０００１】
本発明は、土木や建築関係の施工現場、あるいは各種イベントが開催される催場等で使用される組立式仮設フェンスに関するものである。
【背景技術】
【０００２】
通常、土木工事の現場や建築現場等では、部外者が施工現場に無許可で進入して事故を起こしたり、施工中に土砂や施工材料等が外部に飛散するのを防止するために、組立式仮設フェンスが施設されている。従来の組立式仮設フェンスは、自立可能な鉄製の金網が施工現場の周囲に並べられたり、あるいは下部に敷石が配設された複数のポールを立て掛けた状態で針金等で結束することにより施設されている。
【０００３】
しかし、自立式の金網では、地面からの高さ寸法を高くすると不安定となるため、高さ寸法が制約される。一方、ポールに鉄製フェンスを針金により結束する構造のフェンスでは、ポールを継ぎ足すことにより地面からの高さ寸法を高くすることはできるものの、ポールを継ぎ足す作業や、鉄製フェンスを針金でポールに結束する作業が煩雑で熟練と時間がかかるといった問題があった。こうした問題を改善し、施設現場の状況に応じて簡単かつ短時間で施設できる組立式仮設フェンスとして、図７乃至図９に示すような構造のものが知られている。
【０００４】
図７に示すように、この組立式仮設フェンス５０は、一対の架台５１、５１と、これらの架台５１、５１間に架設される複数のフェンス体５４とから構成されている。架台５１の支柱５２に配設されたディスク（円盤状の保持板）５３には、図９に示すように、その中心に支柱５２が挿通される通孔５３ａと、周方向に所定間隔で複数のクサビ受け口５３ｂが形成されている。このクサビ受け口５３ｂに、フェンス体５４に配設されたクサビ部材５５、５６や控え柱５７のクサビ部材５８、５９が係脱自在に係着されている。
【０００５】
支柱５２には、架台５１を構成する控え柱５７が着脱自在に取り付けられている。この控え柱５７は、図８に示すように、上段パイプ６０の中に下段パイプ６１を伸縮自在に挿入したもので、ロックねじ６２によって位置決め固定されている。また、控え柱５７の下段パイプ６１には、クランプ部材６３を介して杭６４が着脱自在に連結され、地中に打ち込まれている。
【０００６】
図７に示すように、フェンス体５４は、矩形状の枠体６５と、この枠体６５の内部に張設されるプラスチックからなる防護部材６６とから構成される。この防護部材６６としては、上段に配設されるネットや、下段に配設されるパネル等が仕様に応じて適宜選定される。このフェンス体５４のクサビ部材５５、５６が上方からディスク５３のクサビ受け口５３ｂに挿入される。なお、支柱５２の下端には伸縮自在なジャッキ６７が配設され、対をなす支柱５２の設置面の高低差に応じて高さ調整ができる。
【０００７】
このような組立式仮設フェンス５０によれば、支柱５２に配設されたディスク５３にフェンス体５４や控え柱５７のクサビ部材５５、５６、５８、５９を係着させるだけの簡単な作業で、フェンスを安定かつ水平に施設することができ、作業時間を短縮することができる。また、フェンス体５４のクサビ部材５５、５６を係着するクサビ受け口５３ｂの位置を変えるだけで、フェンス体５４の支柱５２に対する取付角度を簡単に変更することができる。
【特許文献１】特開平８−３１２２０５号公報
【発明の開示】
【発明が解決しようとする課題】
【０００８】
こうした従来の組立式仮設フェンス５０は、立設された支柱５２の安定性と強度面から高さが１．５ｍ前後に設定されているが、近年、部外者が施工現場に進入できないように、高さが１．８ｍ前後に延長される動きがある。この場合、支柱５２の下端に配設されたジャッキ６７の調整のみでは対応できず、支柱５２の下端に調整支柱（図示せず）を着脱自在に嵌挿させ、この調整支柱に前記したディスク５３を挿通し、新たにフェンス体５４をこのディスク５３に係着させ、２枚から３枚に増やして対応することになる。然しながら、これでは、高さを１．８ｍ以上にすることができるものの、歩行者等に圧迫感を与えると言った美観上の問題が生じるだけでなく、支柱５２の安定性と強度が損なわれ、そばを通る人に危険が及ぶことになって好ましくない。かと言って、この高さに対応する支柱とフェンス体を新たに設計して製作するとなると、従来の組立式仮設フェンス５０が使用できず無駄になり、コスト高騰を招来することになる。
【０００９】
本発明は、こうした従来の問題に鑑みこれを解決するためになされたもので、フェンス本体が１．５ｍ以上の高いものでも充分な実用性が得られる強度が維持できると共に、従来の仮設フェンスの部品を無駄にせずに使用でき、低コストで組立作業性が良い組立式仮設フェンスを提供することを目的とする。
【課題を解決するための手段】
【００１０】
係る目的を達成するために、本発明のうち請求項１に記載の発明は、施設位置の設置面に立設される一対の架台と、これらの架台間に着脱自在に架設されるフェンス体と、このフェンス体の上部に配設されたアーチ体とを備え、前記架台を構成する支柱に、保持金具が対になって長手方向に所定間隔で複数固定され、これらの保持金具に前記フェンス体を着脱自在に係着させると共に、前記支柱の上端にキャップを介して前記アーチ体を構成する枠体を抜差し自在に嵌挿させた構成を採用した。
【００１１】
このように、一対の架台間に着脱自在に架設されるフェンス体と、このフェンス体の上部に配設されたアーチ体とを備え、支柱に固定された保持金具に、フェンス体を着脱自在に係着させると共に、支柱の上端にキャップを介してアーチ体の枠体を抜差し自在に嵌挿させたので、支柱を延長することなく、フェンス本体が１．５ｍ以上の高いものでも充分な実用性が得られる強度が維持できると共に、従来の仮設フェンスの部品を無駄にせずに使用でき、低コストで組立作業性が良い組立式仮設フェンスを提供することができる。
【００１２】
好ましくは、請求項２に記載の発明のように、前記フェンス体が防護部材を有し、この防護部材の両側に略Ｕ字形をなすフック部が突設され、このフック部を円筒状に形成された前記保持金具に挿入させることにより、前記フェンス体が前記支柱に対して着脱自在に係着されていれば、フェンス体の支柱に対する取付角度を自在に、かつ容易に変更することができる。これにより、施設現場等において、障害物等がある場合に、これらの障害物等を避けるためにフェンス体の角度変更を短時間に、かつ簡便に行うことができる。
【００１３】
また、請求項３に記載の発明は、前記キャップが前記支柱の上端に嵌合され、前記枠体が抜差し自在に嵌挿される連結部を有しているので、仮設作業が簡便化され、作業時間が短縮する。さらに、従来の支柱を無駄にせず使用でき、支柱の長さを延長することなくフェンス本体を高くすることができるので、コスト低減が図れると共に、充分実用性が得られる強度が維持できる。
【００１４】
また、前記連結部が、請求項４に記載の発明のように、前記キャップに穿設された挿通孔であっても良いし、また、請求項５に記載の発明のように、前記キャップに突設された連結軸であっても良い。さらに、請求項６に記載の発明のように、前記キャップに固着された円筒状の連結部であっても良い。
【００１５】
また、請求項７に記載の発明は、前記枠体の端部にキャップが一体に形成され、このキャップを前記支柱に抜差し自在に嵌挿させので、部品点数が削減できて架設作業性が向上する。
【００１６】
また、請求項８に記載の発明は、前記アーチ体が曲線部を有する形状に形成されているので、そばを通る歩行者等に圧迫感を与えず、かつ美観を損なわず意匠価値が高くなって環境調和に役立てることができる。
【００１７】
また、請求項９に記載の発明のように、前記支柱に、略蒲鉾形に形成された支柱カバーが固定金具を介して着脱自在に装着されていれば、架設作業性が容易となると共に、そばを通る歩行者等に圧迫感を与えず、かつ美観を損なわず意匠価値が一層高くなる。
【発明の効果】
【００１８】
本発明の組立式仮設フェンスは、施設位置の設置面に立設される一対の架台と、これらの架台間に着脱自在に架設されるフェンス体と、このフェンス体の上部に配設されたアーチ体とを備え、前記架台を構成する支柱に、保持金具が対になって長手方向に所定間隔で複数固定され、これらの保持金具に前記フェンス体を着脱自在に係着させると共に、前記支柱の上端にキャップを介して前記アーチ体を構成する枠体を抜差し自在に嵌挿させたので、支柱を延長することなく、フェンス本体が１．５ｍ以上の高いものでも充分な実用性が得られる強度が維持できると共に、従来の仮設フェンスの部品を無駄にせずに使用でき、低コストで組立作業性が良い組立式仮設フェンスを提供することができる。強風時にも倒れ難く、美観を損なわず環境調和に役立つ。
【発明を実施するための最良の形態】
【００１９】
施設位置の設置面に立設される一対の架台と、これらの架台間に架設され、防護部材と、この防護部材の両側に略Ｕ字形をなすフック部を有するフェンス体と、このフェンス体の上部に配設されたアーチ体とを備え、前記保持金具が対になって前記支柱の長手方向に所定間隔で複数固定され、これらの保持金具に前記フック部を着脱自在に係着させると共に、前記支柱の上端にキャップを介して前記アーチ体を構成する枠体を抜差し自在に嵌挿させた。
【実施例】
【００２０】
以下、本発明の実施の形態を図面に基いて詳細に説明する。
図１は、本発明に係る組立式仮設フェンスの実施形態を示す一部を破断した正面図、図２は、図１の分解斜視図、図３は、本発明に係る架台の実施形態を示す側面図である。
【００２１】
この組立式仮設フェンス１は、施設位置の設置面Ｇに立設される一対の架台２、２と、これらの架台２、２間に着脱自在に架設されるフェンス体３と、このフェンス体３の上部に配設されたアーチ体４とを備えている。架台２を構成する丸パイプからなる支柱５は、所定長さ（例えば、１．５ｍ）に設定され、円筒状の保持金具６が対になって長手方向に所定間隔で複数固定されている。また、支柱５の下端には伸縮自在なジャッキ７が配設され、設置面Ｇの高低差に応じて対をなす支柱５の高さ調整をする。
【００２２】
フェンス体３は、上段に配設されるネット等からなる防護部材８と、下段に配設され、上下一対の枠体９と、この枠体９の内部に張設されるパネル等からなる防護部材１０とで構成されている。これらの防護部材８、１０は、仕様に応じて適宜に選定される。防護部材８、１０の材質としては、ＧＦ（グラスファイバー）等の強化繊維の混入によって強化されたポリエチレン等の合成樹脂が好適に使用される。そして、防護部材８、１０の両側には、前記支柱５の保持金具６に対応した位置に、略Ｕ字形をなすフック部１１が突設され、このフック部１１を上方から保持金具６に挿入することにより、フェンス体３が支柱５に対して着脱自在に係着されている。
【００２３】
また、防護部材８とフック部１１、および枠体９と防護部材１０とが要求強度を満たし得る断面積となるようにフック部１１と一体成形して形成されても良い。枠体９をはじめ防護部材８、１０の材質は前記したもの以外に、ポリプロピレン、塩化ビニル、ＡＢＳ樹脂、スチロール等の射出成形可能な熱可塑性合成樹脂が例示できるが、金属製であっても良い。架台２の外側には、後述する目隠し用の支柱カバー１２が支柱５に対して着脱自在に装着されている。
【００２４】
前述したように、本実施形態では、フェンス体３を構成する防護部材８、１０の両側に略Ｕ字形をなすフック部１１が突設され、このフック部１１を保持金具６に挿入することにより、フェンス体３が支柱５に対して着脱自在に係着されているので、フック部１１は円筒状の保持金具６内で自在に回動することができる。すなわち、フェンス体３の支柱５に対する取付角度を自在に、かつ容易に変更することができる。これにより、施設現場等において、障害物等がある場合に、これらの障害物等を避けるためにフェンス体３の角度変更を短時間に、かつ簡便に行うことができる。
【００２５】
図３（ａ）に示すように、前記支柱５には、架台２を構成する支持部材１３が着脱自在に取付けられている。この支持部材１３は、設置面Ｇに垂直に打ち込まれ、クランプ部材１４を介し、支柱５に対して高さ調整自在に立設されている。（ｂ）、（ｃ）は、他の支持部材の実施形態を示している。なお、ここでは、同一部品同一部位には同じ符号を付して重複した説明を省く。
（ｂ）に示す支持部材１５は、クランプ部材１６を介し、支柱５に対して傾斜した姿勢で配設されている。クランプ部材１６は、略Ω形状をなし、支柱５に嵌挿されて端部を締結することにより所定の位置に固定されると共に、ピン１６ａを介して支持部材１５が傾斜自在に連結されている。この支持部材１５および支柱５は、設置面Ｇに打ち込まれたアンカー１７、１８によって固定されている。また、（ｃ）に示す支持部材１９は、コンクリートやアスファルト等、アンカーを打ち込むことができない設置面Ｇの場合に適用されるもので、クランプ部材２０を介し、支柱５に対して傾斜した姿勢で配設されている。設置面Ｇに錘としての鉄土台２１が載置され、支持部材１９は、この鉄土台２１に突設された支持部２１ａにクランプ部材２０を介して傾斜自在に連結されている。なお、支柱５の下端には調整柱２２が嵌挿され、長手方向の所定間隔に穿設されたピン孔（図示せず）に係止されるピン２２ａの位置により支柱５の高さを自在に調整している。
【００２６】
図４は、支柱５に支柱カバー１２を装着する手順を示した説明図である。
（ａ）に示すように、支柱カバー１２は、ＧＦ（グラスファイバー）等の強化繊維の混入によって強化されたポリエチレン等の合成樹脂を押出し成形によって略蒲鉾形に形成されている。支柱カバー１２の底部２３は、長手方向に延びる一対の突条２３ａと、長手方向の所定箇所に開口部２３ｂが形成されている。この開口部２３ｂの上縁に固定金具２４が下方から底部２３の突条２３ａに沿って着脱自在に装着される。固定金具２４は、ＳＵＳ３０４等のステンレス鋼板をプレス成形により、一対の係止部２５、２５とクリップ部２６とからなる断面略コの字形に形成されている。係止部２５は、支柱５に固定された保持金具６を収容する凹所２５ａを有し、また、クリップ部２６は、一部波形に形成された凸部２７ａを有する舌片２７を備えている。固定金具２４を支柱カバー１２の底部２３に装着する際、この舌片２７は弾性変形して広げられ、弾性的に挟持した状態で底部２３に固定される。さらに、（ｂ）に示すように、固定金具２４の係止部２５が支柱５の外周を挟持した状態で、支柱カバー１２が支柱５の上方から装着され、この係止部２５の凹所２５ａに保持金具６が収容される。こうした構成により、支柱カバー１２は、支柱５に対して垂直方向に位置決めされると共に、水平方向にも固定される。
【００２７】
このように、支柱カバー１２が略蒲鉾形に形成され、固定金具２４を介して支柱５に着脱自在に装着されていれば、架設作業性が容易となると共に、そばを通る歩行者等に圧迫感を与えず、かつ美観を損なわず意匠価値が一層高くなる。
【００２８】
次に、図５を用いて、支柱５にアーチ体４を装着する手順を説明する。
（ａ）に示すように、先ず支柱５の開口端部５ａに支柱キャップ２８が嵌合される。この支柱キャップ２８はゴムまたは合成樹脂等のエラストマからなり、鍔部２９を有する略円柱状に形成されている。なお、この支柱キャップ２８には、アーチ体４の枠体３１が嵌挿され、支柱５とアーチ体４との連結部となる一対の挿通孔３０、３０が穿設されている。次に、（ｂ）に示すように、支柱キャップ２８の挿通孔３０にアーチ体４の枠体３１が抜差し自在に嵌挿される。このアーチ体４は、矩形状をなす枠体３１と、この枠体３１の内部に張設された防護部材３２とからなる。枠体３１は丸鋼管から成形され、表面に亜鉛メッキや塗装等の防錆処理が施されている。一方、防護部材３２は、ＧＦ（グラスファイバー）等の強化繊維の混入によって強化されたポリエチレン等の合成樹脂からなり、メッシュ状に形成されている。防護部材３２の材質はこれ以外に、ポリプロピレン、塩化ビニル、ＡＢＳ樹脂、スチロール等の射出成形可能な熱可塑性合成樹脂が例示できるが、金属製であっても良い。なお、枠体３１と防護部材３２とが要求強度を満たし得る断面積となるように一体成形して形成されても良い。この場合、強風時にも風の抵抗を余り受けないように、無数の小孔が開口されたものが好ましい。さらに、これらの複数の小孔が所望の模様に構成されていれば美観を損なわず環境調和に役立つ。そして、アーチ体４が支柱キャップ２８に嵌挿された後、前述した支柱カバー１２が支柱５に装着される。なお、支柱カバー１２を、アーチ体４が支柱５に嵌挿される前に装着しても良い。
【００２９】
このように、丸パイプからなる支柱５の上端に円筒状の支柱キャップ２８を嵌合させ、この支柱キャップ２８にアーチ体４を構成する枠体３１を抜差し自在に嵌挿させたので、仮設作業が簡便化され、作業時間が短縮する。さらに、従来の支柱を無駄にせず使用でき、支柱の長さを延長することなくフェンス本体を高くすることができるので、コスト低減が図れると共に、充分実用性が得られる強度が維持できる。また、本実施形態のように、アーチ体４が曲線部を有する形状に形成されていれば、そばを通る歩行者等に圧迫感を与えず、かつ美観を損なわず意匠価値が高くなり環境調和に役立てることができる。なお、アーチ体４の形状はこれに限らず、例えば、山形や波形、またはそれらを組み合せた幾何学形状であっても良い。
【００３０】
図６は、アーチ体と支柱の連結構造の他の実施形態を示す断面図である。
（ａ）に示す連結構造は、支柱５の開口端部５ａに円柱状の支柱キャップ３３が嵌合され、この支柱キャップ３３の端部に突設され、支柱５とアーチ体（図示せず）との連結部となる一対の連結軸３４に、アーチ体を構成する枠体３５を抜差し自在に嵌挿させたものである。（ｂ）に示す連結構造は、合成樹脂からなる枠体３６の端部に一体成形され、断面が略半円形をなすキャップ３７を、支柱５の開口端部５ａに抜差し自在に嵌挿させたものである。（ｃ）に示す連結構造は、支柱５の端部外周に鋼板プレス製の支柱キャップ３８が嵌合され、この支柱キャップ３８に固着された一対の円筒状の連結部３９に、枠体４０に突設された連結軸４０ａを抜差し自在に嵌挿させたものである。（ｄ）に示す連結構造は、支柱５の開口端部５ａに支柱キャップ４１が嵌合され、この支柱キャップ３８に固着された一対の円筒状の連結部３９に、枠体４２に突設された連結軸４０ａを抜差し自在に嵌挿させたものである。
【００３１】
このように、本発明に係る組立式仮設フェンス１は、施設位置の設置面Ｇに立設される一対の架台２、２と、これらの架台２、２間に着脱自在に架設されるフェンス体３と、このフェンス体３の上部に配設されたアーチ体４とを備え、架台２を構成する支柱５に、保持金具６が対になって長手方向に所定間隔で複数固定され、これらの保持金具６にフェンス体３を着脱自在に係着させると共に、支柱５の上端に支柱キャップ２８を介してアーチ体４の枠体３１を抜差し自在に嵌挿させたので、支柱５を延長することなく、フェンス本体が１．５ｍ以上の高いものでも充分な実用性が得られる強度が維持できると共に、従来の仮設フェンスの部品を無駄にせずに使用でき、低コストで組立作業性が良い組立式仮設フェンスを提供することができる。
【００３２】
以上、本発明の実施の形態について説明を行ったが、本発明はこうした実施の形態に何等限定されるものではなく、あくまで例示であって、本発明の要旨を逸脱しない範囲内において、さらに種々なる形態で実施し得ることは勿論のことであり、本発明の範囲は、特許請求の範囲の記載によって示され、さらに特許請求の範囲に記載の均等の意味、および範囲内のすべての変更を含む。
【産業上の利用可能性】
【００３３】
本発明に係る組立式仮設フェンスは、丸パイプからなる支柱を有する従来のあらゆる構造の組立式仮設フェンスに適用できる。
【図面の簡単な説明】
【００３４】
【図１】本発明に係る組立式仮設フェンスの実施形態を示す一部を破断した正面図である。
【図２】同上、分解斜視図である。
【図３】（ａ）は、本発明に係る架台の実施形態を示す側面図である。  （ｂ）は、同上他の実施形態を示す側面図である。  （ｃ）は、同上さらに他の実施形態を示す側面図である。
【図４】（ａ）、（ｂ）は、支柱に支柱カバーを装着する手順を示す説明図である。
【図５】（ａ）、（ｂ）は、支柱にアーチ体を装着する手順を示す説明図である。
【図６】（ａ）〜（ｄ）は、アーチ体と支柱の連結構造の他の実施形態を示す断面図である。
【図７】従来の組立式仮設フェンスを示す平面図である。
【図８】同上、側面図である。
【図９】同上、支柱に配設されるディスクを示す平面図である。
【符号の説明】
【００３５】
１・・・・・・・・・・・・・・・・・組立式仮設フェンス
２・・・・・・・・・・・・・・・・・架台
３・・・・・・・・・・・・・・・・・フェンス体
４・・・・・・・・・・・・・・・・・アーチ体
５・・・・・・・・・・・・・・・・・支柱
５ａ・・・・・・・・・・・・・・・・開口端部
６・・・・・・・・・・・・・・・・・保持金具
７・・・・・・・・・・・・・・・・・ジャッキ
８、１０、３２・・・・・・・・・・・防護部材
９、３１、３５、３６、４０、４２・・枠体
１１・・・・・・・・・・・・・・・・フック部
１２・・・・・・・・・・・・・・・・支柱カバー
１３、１５、１９・・・・・・・・・・支持部材
１４、１６、２０・・・・・・・・・・クランプ部材
１６ａ、２２ａ・・・・・・・・・・・ピン
１７、１８・・・・・・・・・・・・・アンカー
２１・・・・・・・・・・・・・・・・鉄土台
２１ａ・・・・・・・・・・・・・・・支持部
２２・・・・・・・・・・・・・・・・調整支柱
２３・・・・・・・・・・・・・・・・底部
２３ａ・・・・・・・・・・・・・・・突条
２３ｂ・・・・・・・・・・・・・・・開口部
２４・・・・・・・・・・・・・・・・固定金具
２５・・・・・・・・・・・・・・・・係止部
２５ａ・・・・・・・・・・・・・・・凹所
２６・・・・・・・・・・・・・・・・クリップ部
２７・・・・・・・・・・・・・・・・舌片
２７ａ・・・・・・・・・・・・・・・凸部
２８、３３、３８、４１・・・・・・・支柱キャップ
２９・・・・・・・・・・・・・・・・鍔部
３０・・・・・・・・・・・・・・・・挿通孔
３４、４０ａ・・・・・・・・・・・・連結軸
３７・・・・・・・・・・・・・・・・キャップ
３９・・・・・・・・・・・・・・・・連結部
５０・・・・・・・・・・・・・・・・組立式仮設フェンス
５１・・・・・・・・・・・・・・・・架台
５２・・・・・・・・・・・・・・・・支柱
５３・・・・・・・・・・・・・・・・ディスク
５３ａ・・・・・・・・・・・・・・・通孔
５３ｂ・・・・・・・・・・・・・・・クサビ受け口
５４・・・・・・・・・・・・・・・・フェンス体
５５、５６、５８、５９・・・・・・・クサビ部材
５７・・・・・・・・・・・・・・・・控え柱
６０・・・・・・・・・・・・・・・・上段パイプ
６１・・・・・・・・・・・・・・・・下段パイプ
６２・・・・・・・・・・・・・・・・ロックねじ
６３・・・・・・・・・・・・・・・・クランプ部材
６４・・・・・・・・・・・・・・・・杭
６５・・・・・・・・・・・・・・・・枠体
６６・・・・・・・・・・・・・・・・防護部材
６７・・・・・・・・・・・・・・・・ジャッキ
Ｇ・・・・・・・・・・・・・・・・・設置面
【図１】
2005139689.tif 000003
【図２】
2005139689.tif 000004
【図３】
2005139689.tif 000005
【図４】
2005139689.tif 000006
【図５】
2005139689.tif 000007
【図６】
2005139689.tif 000008
【図７】
2005139689.tif 000009
【図８】
2005139689.tif 000010
【図９】
2005139689.tif 000011